(57)【要約】【課題】袖口の美的外観を向上させつつ、袖口を容易に捲り上げることができる等の機能性を向上させた被服を提供する。【解決手段】  袖口４を、横編み機を用いて編まれるとともに、少なくとも袖の周方向に伸縮性を有する編地で構成し、前記袖口４に、袖の長手方向に切れ込み７を設けて、該袖口４を開閉できるようにし、該袖口４を閉めた状態を保持部１３により保持することができるようにした。【選択図】  図２
2017160570.tif 000002
【特許請求の範囲】
【請求項１】
袖口を、横編み機を用いて編まれるとともに、少なくとも袖の周方向に伸縮性を有する編地で構成し、
前記袖口に、袖の長手方向に切れ込みを設けて、該袖口を開閉できるようにし、該袖口を閉めた状態を保持部により保持することができるようにしたことを特徴とする被服。
【請求項２】
衿の台を、伸縮性を有する編地で構成したことを特徴とする請求項１記載の被服。
【発明の詳細な説明】
【技術分野】
【０００１】
本発明は、被服に関する。
【背景技術】
【０００２】
従来、ポロシャツの袖口を、平織又は綾織からなる布地で構成し、袖口に切込みを入れて開閉できるようにするとともに、ボタンにより閉めた状態を保持できるようにして、美的外観を向上させたポロシャツが提案されている（例えば、特許文献１参照）。
【先行技術文献】
【特許文献】
【０００３】
【特許文献１】実開平６−６５４１１号公報
【発明の概要】
【発明が解決しようとする課題】
【０００４】
前記従来のポロシャツは、袖口が伸縮性を有しない布地で構成されているため、袖口を捲る際には、ボタンを外し、袖口を何度も折り返す必要があり、手間がかかるという問題がある。また、袖口を、上手く捲り上げないと、捲り上げた袖口が、腕先にずり落ちるという問題もある。
【０００５】
また、袖口が伸縮性を有しない布地で構成されているために、ポロシャツを洗濯した際に、袖口にしわが生じ、袖口にアイロンをかける手間が生じる問題がある。
【０００６】
そこで、本発明は、上記問題点を解決した被服を提供することを目的とするものである。
【課題を解決するための手段】
【０００７】
前記の課題を解決するために、請求項１記載の発明は、袖口を、横編み機を用いて編まれるとともに、少なくとも袖の周方向に伸縮性を有する編地で構成し、
前記袖口に、袖の長手方向に切れ込みを設けて、該袖口を開閉できるようにし、該袖口を閉めた状態を保持部により保持することができるようにしたことを特徴とするものである。
【０００８】
請求項２記載の発明は、請求項１記載の発明において、衿の台を、伸縮性を有する編地で構成したことを特徴とするものである。
【発明の効果】
【０００９】
本発明によれば、袖口を、横編み機を用いて編まれ、少なくとも袖の周方向に伸縮性を有する編地で構成するとともに、袖口に切れ込みを設けて、該袖口を開閉できるようにし、該袖口を閉めた状態を保持部により保持することができるようにしたことにより、袖口の美的外観が向上するとともに、袖口を閉めた状態でも、袖口を容易に捲り上げるとともに、その捲り上げた状態を容易に保持することができる。
【００１０】
また、袖口を、伸縮性を有する編地で構成したことにより、袖口を閉めたままの状態でも、被服を容易に脱いだり着たりすることができる。
【００１１】
また、袖口を、伸縮性を有する編地で構成したことにより、洗濯をした際にも、袖口にしわが生じにくく、アイロンをかける手間を省くことができる。
【図面の簡単な説明】
【００１２】
【図１】本発明の実施例を示す被服の正面図。
【図２】図１の要部拡大図。
【図３】図１の使用状態を示す図。
【発明を実施するための形態】
【００１３】
本発明は、袖を有する被服であれば任意の被服に適用でき、例えば、ポロシャツ、トレーナー、カッターシャツ、制服、ユニフォーム等に適用することができる。以下、本発明の被服を、ポロシャツに適用した実施例に基づいて説明する。
【００１４】
図１に示すように、ポロシャツである被服１は、身頃２、袖３、袖口４、衿５を有し、身頃２、袖３は任意の生地で構成することができる。身頃２の前部で、かつ、首付近には、打合せ２ａが形成され、打合せ２ａはボタン２ｂにより開閉できるようになっている。
【００１５】
袖３の先部には袖口４が設けられている。袖口４には、図２に示すように、袖３の長手方向で、かつ、袖口４の全体に亘って切れ込み７が形成されて、袖口４を開閉できるようになっている。切れ込み７は、図１，図２に示すように、袖口４のみに設けてもよいし、袖口４から袖３の先部に亘って形成してもよい。袖口４には、少なくとも一つの係合孔１０が設けられ、該係合孔１０に係合部材１１を係合させることにより、図３に示すように、袖口４を閉めた状態を保持することができるようになっている。係合孔１０と係合部材１１により、袖口４を閉めた状態を保持することができる保持部１３を構成している。
【００１６】
袖口４の閉じた状態における内径は、図３に示すように、手首の太さよりも所定の長さ大きく設定され、手首を締め付けないようになっている。本実施例では手首の太さより２ｃｍ〜３ｃｍ大きく設定した。
【００１７】
係合部材１１は、袖口４に設けたボタンで構成してもよいし、カフス釦等で構成してもよく、本実施例では、図に示すようにボタン４ａで構成した。係合孔１０は、ボタン孔やカフス釦孔等で構成してもよく、本実施例では、図に示すようにボタン孔４ｂで構成した。なお、係合孔１０や係合部材１１の数は、単数でも複数でもよく、任意に設定する。
【００１８】
また、袖３の先部に切れ込みを設けた場合には、該切れ込み部の一方にボタン穴を形成し、他方にボタンを設けて、開閉できるようにしてもよい。
【００１９】
袖口４は、横編み機を用いて編まれ、かつ、少なくとも袖の周方向に伸縮性を有する編地で構成されている、また、この編地は、撥水加工が施されているとより好ましい。
【００２０】
袖口４を構成する編地は、任意の編地を用いることができ、例えば、綿とポリウレタン、ポリエステルとポリウレタン、レーヨンとポリウレタン、ナイロンとポリウレタン、毛とポリウレタンの糸からなる編地を用いることができ、本実施例では、ポリウレタンと撥水加工を施したポリエステルの糸からなる編地を用いた。
【００２１】
身頃２の首部には、台１２付の衿５が設けられている。台１２と衿５は、袖口４と同様の編地で構成され、少なくとも首の周方向に伸縮することができるようになっている。台１２の一方の端部には、ボタン穴１２ａが、他方の端部にはボタン１２ｂが設けられている。
【００２２】
本願の被服１は、上記のように構成されていることにより、次のような作用、効果を生じる。
【００２３】
袖口４を、横編み機を用いて編まれ、少なくとも袖の周方向に伸縮性を有する編地で構成するとともに、袖口４に切れ込み７を設けて、袖口４を開閉できるようにしたことにより、袖口４の美的外観が向上する。
【００２４】
袖口４を、少なくとも、その周方向に伸縮性を有する編地で構成したことにより、係合部材１１（ボタン４ａ）を外すことなく袖口４を閉めた状態で、容易に袖３及び袖口４を捲り上げることができるとともに、袖口４が腕に対して圧着し、その捲り上げた状態を容易に保持することができる。
【００２５】
また、袖口４を、手首より大きく設定したことにより、図３に示すように、被服１の上からジャケット１５を着た際に、ジャケット１５の袖口１５ａから被服１の袖口４が外部に露出した場合にも、美観を損なうことがない。
【００２６】
また、袖口４を、伸縮性を有する編地で構成したことにより、ボタン４ｂを外すことなく、被服１を容易に脱いだり着たりすることができる。
【００２７】
また、袖口４、台１２、衿５を、伸縮性を有する編地で構成したことにより、洗濯をした際にも、しわが生じにくく、アイロンをかける必要がなく、手入れが楽である。
【００２８】
このように、本発明の被服１は、機能性と美観性の両方を併せ持つものである。
【符号の説明】
【００２９】
１  被服
４  袖口
５  衿
１０  保持部
１２  台
【図１】
2017160570.tif 000003
【図２】
2017160570.tif 000004
【図３】
2017160570.tif 000005